(57)【要約】【課題】使用感のよい使い捨て手袋を実現する。【解決手段】不透液性フィルム１からなる袋体１ａの内面であって、使い捨て手袋１０の内面に不織布シート２を備えることによって、その使い捨て手袋１０を長時間装着し、手に汗をかいてしまった場合であっても、不織布シート２が汗を吸い取ることによって、発汗によるべたつき感を低減するようにして、その使い捨て手袋１０の使用感をよい状態とするようにした。【選択図】図１
2008081895.tif 000002
【特許請求の範囲】
【請求項１】
不透液性のフィルムが重ねられてなる、ユーザの手が挿入可能な袋体と、
前記袋体の内面を覆う繊維シート材と、
を備えることを特徴とする使い捨て手袋。
【請求項２】
前記袋体の外面における少なくとも１面に清掃用基材が設けられていることを特徴とする請求項１に記載の使い捨て手袋。
【請求項３】
前記袋体におけるユーザの手が挿入される開口部の大きさを絞る開口調節手段を備えることを特徴とする請求項１又は２に記載の使い捨て手袋。
【発明の詳細な説明】
【技術分野】
【０００１】
本発明は、使い捨て手袋に関する。
【背景技術】
【０００２】
従来、ユーザの手を挿入することができる袋状に成形され、手に装着して拭き掃除を行うことを可能にする使い捨ての手袋型清浄具が知られている。
そして、不織布からなる使い捨て手袋に、洗剤などの清浄組成物を放出可能に保持させることによって、好適に汚れ落としを行うことができる使い捨て不織布清浄手袋が知られている（例えば、特許文献１参照。）。
【０００３】
また、防水性材料により形成された袋体の外面に不織布などの拭き取り性に優れた素材が設けられた清浄用手袋や清掃用布体が知られている（例えば、特許文献２、特許文献３参照。）。
【特許文献１】特表２００６−５１３８３２号公報
【特許文献２】特開平８−５２１号公報
【特許文献３】特開平１０−１４８４０号公報
【発明の開示】
【発明が解決しようとする課題】
【０００４】
しかしながら、上記特許文献１の場合、使い捨て手袋は不織布製のため、水周りの掃除を行う際に汚水が内面にまでしみ込んでしまうことがあり、ユーザの手が濡れてしまったり汚れてしまったりして、その使用感が悪化する問題があった。
【０００５】
また、上記特許文献２、特許文献３の場合、水周りの掃除を行う場合であっても、ユーザの手が濡れることはないものの、長時間着用した際に発汗により蒸れてしまい、その手袋の防水フィルム部分（防水性材料）が手に張り付くなどして、その使用感が悪化する問題があった。
【０００６】
本発明の目的は、使用感のよい使い捨て手袋を提供することである。
【課題を解決するための手段】
【０００７】
以上の課題を解決するため、請求項１に記載の発明は、使い捨て手袋であって、
不透液性のフィルムが重ねられてなる、ユーザの手が挿入可能な袋体と、
前記袋体の内面を覆う繊維シート材と、
を備えることを特徴とする。
【０００８】
請求項２に記載の発明は、請求項１に記載の使い捨て手袋において、
前記袋体の外面における少なくとも１面に清掃用基材が設けられていることを特徴とする。
【０００９】
請求項３に記載の発明は、請求項１又は２に記載の使い捨て手袋において、
前記袋体におけるユーザの手が挿入される開口部の大きさを絞る開口調節手段を備えることを特徴とする。
【発明の効果】
【００１０】
請求項１に記載の発明によれば、使い捨て手袋に手を挿入し、その使い捨て手袋を手に装着することによって、ユーザの手を汚したり濡らしたりすることなく、所定の作業を行うことができる。
特に、この使い捨て手袋の内面には繊維シート材が備えられているため、使い捨て手袋を長時間装着し、手に汗をかいてしまった場合であっても、不透液性フィルムが直接肌に接しないため、その不透液性フィルムによるはりつき感やべたつき感を低減することができるので、従来の使い捨て手袋に比べて、使用感のよい状態で使うことができ、各種作業を好適に行うことができる。
【００１１】
請求項２に記載の発明によれば、請求項１に記載の発明と同様の効果が得られることは無論のこと、使い捨て手袋は、その袋体の外面における少なくとも１面に清掃用基材が設けられているので、その使い捨て手袋を手に装着した状態で、その清掃用基材によって汚れた箇所などを拭いたり擦ったりすることができ、ユーザの手を汚したり濡らしたりせずに、床や水周りなどの清掃を行うことができる。
【００１２】
請求項３に記載の発明によれば、請求項１又は２に記載の発明と同様の効果が得られることは無論のこと、使い捨て手袋は、その袋体におけるユーザの手が挿入される開口部の大きさを絞る開口調節手段を備えているため、その使い捨て手袋を装着した手の手首に開口部を密着させることができるので、手に装着した使い捨て手袋の内部に粉塵や水滴などが侵入してしまうことを低減することができる。また、手に装着した使い捨て手袋を外れにくくすることができる。
【発明を実施するための最良の形態】
【００１３】
以下、本発明の実施の形態を、図面を参照しながら詳細に説明する。
【００１４】
（実施形態１）
図１は、本実施形態における使い捨て手袋を示す平面図であり、図２から図４は、その使い捨て手袋の断面図である。
使い捨て手袋１０は、図１から図４に示すように、不透液性フィルム１が折り重ねられてなる、ユーザの手が挿入可能な袋体１ａと、袋体１ａの内面を覆う繊維シート材である親水性の不織布シート２と、袋体１ａと不織布シート２との間に介挿される開口調節手段としての弾性部材３と、を備えて構成されている。
【００１５】
不透液性フィルム１は、例えば、ポリエチレン、ポリプロピレンなどのポリオレフィンフィルム等であって、袋体１ａの外側からその内部に水などの液体を浸透させないフィルム素材である。
なお、不透液性フィルム１は、通気性を有するフィルム材であって、袋体１ａの内部から外側に蒸気を放散可能であることが好ましい。
【００１６】
不織布シート２は、例えば、エアスルー、スパンレース、スパンボンドなどの親水性の不織布からなるシート材であって、袋体１ａの内部でユーザの手が触れる部分となる。
【００１７】
この不透液性フィルム１と不織布シート２とが貼付されてなる手袋用シート部材が、図２に示すように、不透液性フィルム１を外面側、不織布シート２を内面側とするように断面視略Ｃ字状に折り曲げられて、その重ね合わされた端部どうしが接着されてなるシール部４が施されることによって、袋体１ａが形成されて、その袋体１ａの内面を覆うように不織布シート２が配されるようになっている。
【００１８】
なお、不透液性フィルム１と不織布シート２とを貼付して手袋用シート部材を形成する際に、その一端側において不透液性フィルム１と不織布シート２との間に複数（例えば、３本）の弾性部材３を介装するように配設している。そして、図１、図３に示すように、袋体１ａを形成するために手袋用シート部材を折り曲げる際に、その弾性部材３が介装された端部部分を折り重ねるようにして、その弾性部材３が介装された端部どうしにはシール部４を施さずに、袋体１ａの開口部であって使い捨て手袋１０の開口部５を形成するようになっている。
【００１９】
弾性部材３は、例えば、糸ゴムやウレタン弾性糸などであって、使い捨て手袋１０の開口部５を収縮させ、その開口部５の大きさを絞るようになっている。
【００２０】
シール部４は、例えば、ホットメルトなどのヒートシールや超音波シールであって、重ねられた不透液性フィルム１と不織布シート２との端部を固着して、袋体１ａを形成している。
なお、このシール部４は、不透液性フィルム１と不織布シート２との端部を密着させており、特に、その端部で対向している不透液性フィルム１同士が密着するように固着されているので、シール部４を通じて使い捨て手袋１０の内部に水などがしみ込まないようになっている。
【００２１】
また、使い捨て手袋１０（袋体１ａ）における開口部５とは反対側の先端１０ａ側から開口部５側に向けて、所定の長さのシール部４が施されている。
このシール部４は、図４に示すように、袋体１ａの先端側の内部を２つに仕切る仕切部４ａとして機能する。この仕切部４ａが、２本の指（例えば、人差指と中指、中指と薬指）の間となるように、使い捨て手袋１０を手に装着することによって、その手に対して使い捨て手袋１０が横方向にずれにくくなる。
なお、この仕切部４ａは、手の装着方向を規制するものではないので、使い捨て手袋１０のどちらの面（外面における表面、裏面）が手の平（掌）側となるように装着してもよく、また、使い捨て手袋１０は、ユーザの右手にも左手にも装着することが可能になっている。
【００２２】
開口部５は、弾性部材３の伸縮によって、その開口の大きさが調節可能になっており、特に、開口部５は、弾性部材３の収縮によって、袋体１ａに挿入されたユーザの手の手首にフィットするようになっている。
つまり、使い捨て手袋１０の開口部５がユーザの手首にフィットすることによって、手に装着した使い捨て手袋１０の内部に粉塵や水滴などが侵入しにくくなっている。また、手に装着した使い捨て手袋１０が外れにくくなっている。
【００２３】
そして、このような構成の使い捨て手袋１０を手に装着することによって、ユーザは直接手で触れたくないものや、直接手で触れてはいけないものを、触ったり掴んだりすることができる。
例えば、油まみれとなっている汚物を拾い上げる場合に、使い捨て手袋１０を手に装着することによって、手を汚すことなく好適にその作業を行うことができる。
また、例えば、食品加工所において弁当箱に惣菜類を詰め込む場合に、使い捨て手袋１０を手に装着することによって、食品を衛生的に取り扱うことが可能になり、好適にその作業を行うことができる。
【００２４】
特に、この使い捨て手袋１０には、その内面に親水性の不織布シート２が配されているので、使い捨て手袋１０を長時間装着し、手に汗をかいてしまった場合であっても、不織布シート２が汗を吸い取ることによって、発汗によるべたつき感を低減し、その手袋の装着感や使用感が悪化しにくくなっている。また、不透液性フィルム１が直接肌に接しないため、その不透液性フィルム１によるはりつき感を低減し、その手袋の装着感や使用感が悪化しにくくなっている。
また、使い捨て手袋１０の内面に不織布シート２が配されていることによって、表面が滑らかな不透液性フィルム１に手が直接触れる場合より、手袋の中で手が滑りにくくなっているので、使い捨て手袋１０を装着しての作業中に、その使い捨て手袋１０が滑ってずれてしまうことを低減することができる。更に、使い捨て手袋１０に形成されている仕切部４ａを２本の指（例えば、人差指と中指）で挟むようにして、使い捨て手袋１０を手に装着することができるので、手に装着した使い捨て手袋１０の姿勢がより安定し、よりずれにくくなっている。
【００２５】
また、使い捨て手袋１０を使用しての作業後に、使い捨て手袋１０の外面である不透液性フィルム１が内側となるように裏返すようにして、汚れや水などが付着した面を内側に包み込んでしまうように、その使い捨て手袋１０を外すことによって、ユーザの手を汚したり濡らしたりすることなく、所定の作業を終了することができる。
【００２６】
このように、使い捨て手袋１０を手に装着することによって、ユーザの手を汚したり濡らしたりすることなく、所定の作業を行うことができる。
特に、この使い捨て手袋１０は、ユーザの手にずれにくく装着することができるとともに、発汗によるべたつき感を低減することができるので、従来の使い捨て手袋に比べて、使用感のよい状態で使うことができ、各種作業を好適に行うことが可能になる。
【００２７】
（実施形態２）
次に、本発明に係る使い捨て手袋の実施形態２について説明する。なお、実施形態１と同一部分には同一符号を付し、異なる部分についてのみ説明する。
【００２８】
使い捨て手袋２０は、図５に示すように、不透液性フィルム１からなる袋体１ａと、袋体１ａの内面側に配される不織布シート２と、袋体１ａの外面に設けられた清掃用基材である清掃用不織布シート６と、を備えて構成されている。
【００２９】
清掃用不織布シート６は、例えば、エアスルー、スパンレース、スパンボンドなどの不織布からなるシート材であって、汚れた箇所などを拭いたり擦ったりするための基材である。
なお、清掃用不織布シート６には、清掃対象となる汚れを落としやすくするために、洗剤などの汚れ落とし剤を含有させておいてもよい。
【００３０】
そして、不透液性フィルム１を挟むように清掃用不織布シート６と不織布シート２とが重ねられて、その清掃用不織布シート６と不透液性フィルム１と不織布シート２とが貼付されてなる手袋用シート部材が、図５に示すように、清掃用不織布シート６を外面側に、不織布シート２を内面側とするように断面視略Ｃ字状に折り曲げられて、その重ね合わされた端部どうしが接着されてなるシール部４が施されることによって、袋体１ａが形成される。そして、その袋体１ａの内面を覆うように不織布シート２が配され、また、袋体１ａの外面を覆うように清掃用不織布シート６が配されるようになっている。
つまり、使い捨て手袋２０は、前述の図１に示す使い捨て手袋１０の外面に、更に清掃用不織布シート６を設けた構成をとっている。
【００３１】
このような使い捨て手袋２０であれば、前述の使い捨て手袋１０と同様に、ユーザの手にずれにくく装着することができるとともに、発汗によるべたつき感を低減することができるので、使用感のよい状態で使うことができる。
特に、この使い捨て手袋２０には、その外面側に清掃用不織布シート６が設けられているので、使い捨て手袋２０を手に装着した状態で、その清掃用不織布シート６によって汚れた箇所などを拭いたり擦ったりすることができ、ユーザの手を汚したり濡らしたりせずに、床や水周りなどの清掃を行うことができる。
また、使い捨て手袋２０における、ユーザの手の平（掌）側となった一方の面（表面）側の清掃用不織布シート６で汚れを拭き取った後、その使い捨て手袋２０における他方の面（裏面）側の清掃用不織布シート６が手の平（掌）側となるように、使い捨て手袋２０を装着し直すことによって、まだ汚れていない新しい清掃用不織布シート６による清掃を行うことができるようになっている。
【００３２】
なお、使い捨て手袋２０を、床や水周りなどの清掃に用いることに限らず、例えば、洗顔に使用するようにしてもよい。
この場合、より柔らかい清掃用不織布シート６を配設したり、その清掃用不織布シート６に洗顔剤など薬用成分を含有させたりするようにすればよい。
【００３３】
（実施形態３）
次に、本発明に係る使い捨て手袋の実施形態３について説明する。なお、実施形態１、実施形態２と同一部分には同一符号を付し、異なる部分についてのみ説明する。
【００３４】
使い捨て手袋３０は、図６に示すように、不透液性フィルム１からなる袋体１ａと、袋体１ａの内面側に配される不織布シート２と、袋体１ａの外面側に設けられた清掃用基材である第１清掃用不織布シート７と第２清掃用不織布シート８と、を備えて構成されている。
【００３５】
第１清掃用不織布シート７は、袋体１ａの外面の一方の面（表面）に設けられている、例えば、エアスルー不織布からなるシート材であって、汚れた箇所などを拭いたり擦ったりするための基材である。
なお、第１清掃用不織布シート７には、清掃対象となる汚れを落としやすくするため、洗剤などの汚れ落とし剤を含有させておくことが好ましい。
【００３６】
第２清掃用不織布シート８は、袋体１ａの外面の他方の面（裏面）に設けられている、例えば、スパンレース不織布からなるシート材であって、掃除した面を仕上げ拭きするための基材である。
なお、第２清掃用不織布シート８には、掃除した面をきれいに保つためのコーティング剤やワックス剤などを含有させておくことが好ましい。
【００３７】
このような使い捨て手袋３０であれば、使い捨て手袋３０の表面に設けた第１清掃用不織布シート７と、使い捨て手袋３０の裏面に設けた第２清掃用不織布シート８とを、その用途ごとに使い分けることができ、それぞれの清掃用不織布シートに応じた作業を行うことができる。
つまり、使い捨て手袋３０を手に装着する際に、使用する面が手の平（掌）側となるように装着することで、表面の第１清掃用不織布シート７による汚れ落としを行うことと、裏面の第２清掃用不織布シート８による仕上げ拭きを行うことを、選択して行うことができる。
【００３８】
なお、使い捨て手袋３０における表面の用途と裏面の用途は、汚れ落としと仕上げ拭きと限らず、例えば、頑固汚れ落としと微少汚れ落とし、乾式拭きと湿式拭き、などの組み合わせであってもよい。
また、使い捨て手袋３０の外面における少なくとも１面（例えば、表面）に清掃用不織布シートを設け、その反対面（例えば、裏面）は不透液性フィルム１をむき出しとした用途にしてもよい。
【００３９】
（実施形態４）
次に、本発明に係る使い捨て手袋の実施形態４について説明する。なお、実施形態１〜実施形態３と同一部分には同一符号を付し、異なる部分についてのみ説明する。
【００４０】
使い捨て手袋４０は、図７に示すように、不透液性フィルム１からなる袋体１ａと、袋体１ａの内面側に配される不織布シート２と、袋体１ａの外面における表面側に設けられた清掃用基材である複数（図中２枚）の第１清掃用不織布シート７と、袋体１ａの外面における裏面側に設けられた清掃用基材である複数（図中２枚）の第２清掃用不織布シート８と、を備えて構成されている。
【００４１】
２枚重ねられた第１清掃用不織布シート７同士と、２枚重ねられた第２清掃用不織布シート８同士は、それぞれホットメルトなどの比較的弱い接着力で仮止めされている。
そして、それぞれ上側の清掃用不織布シートを十分に使用した後、その上側１枚の清掃用不織布シートを剥がし取ることによって、その下側の新しい清掃用不織布シートを露出させることができるようになっている。
【００４２】
このような使い捨て手袋４０であれば、それぞれ上側の清掃用不織布シート（７，８）を使用して拭き取り作業を行い、そのシート面が汚れるなどして清掃効果などが低下した場合に、上側１枚の清掃用不織布シートを剥がし取ることによって、その下側の清掃用不織布シートを露出させて、良好な清掃効果を有する新しい清掃用不織布シート（７，８）による拭き取り作業を行うことが可能になる。
【００４３】
なお、本発明は上記実施形態に限られるものではない。
例えば、図８に示すように、使い捨て手袋５０に備える不織布シート（例えば、不織布シート２、清掃用不織布シート６、第１清掃用不織布シート７、第２清掃用不織布シート８）を、使い捨て手袋５０（袋体１ａ）の開口部５側と先端側に２分割した状態に設けるようにしてもよい。
このように不織布シートを２分割して設けることによって、使い捨て手袋５０の中央側であって各分割不織布シート間に剛性を低くした部分を作ることができるので、その剛性の低い部分を曲げやすくすることが可能になる。
つまり、手に装着した使い捨て手袋５０を曲げやすく、その手を握りやすくすることができるので、その使い捨て手袋５０を装着した作業を行いやすくなり、作業効率を向上させることができる。
なお、使い捨て手袋５０に複数の不織布シート（２、６、７、８）が備えられている場合、少なくとも１つの不織布シートを２分割することによって、剛性を低くする部分を作るようにすればよい。
【００４４】
また、図９に示すように、使い捨て手袋６０の開口部５に弾性部材３を備えずに、開口調節手段としてのベルト部９を備えるようにしてもよい。
ベルト部９は、例えば、不透液性フィルム１と一体に形成されており、そのベルト部９の一方の面には止着部９ａが設けられている。
この止着部９ａは、例えば、不透液性フィルム１に貼着可能なパウチテープや、不織布シート面に係着可能なファスニングテープ（メカニカルファスナー）などである。なお、使い捨て手袋６０の外面に不透液性フィルム１が配される場合にはパウチテープ、使い捨て手袋６０の外面に不織布シートが配される場合にはファスニングテープとすることによって、その止着部９ａが使い捨て手袋６０の表面に好適に止着するようになっている。
そして、使い捨て手袋６０を手に装着した際に、ベルト部９を手首に巻き付けて開口部５の大きさを絞り、そのベルト部９の止着部９ａを使い捨て手袋６０の表面に止着することによって、その使い捨て手袋６０を手にフィットさせることができる。また、その使い捨て手袋６０が手から外れにくくすることができる。
【００４５】
なお、以上の実施の形態においては、袋形状の使い捨て手袋を例に挙げて説明したが、本発明はこれに限定されるものではなく、例えば、ミトン型や５本指型の使い捨て手袋であってもよい。
【００４６】
また、以上の実施の形態においては、不透液性フィルムと不織布シートとが貼付されてなる手袋用シート部材を、略Ｃ字状に折り曲げて、端部をシールして固着することによって、使い捨て手袋を袋形状に形成することを例に挙げて説明したが、本発明はこれに限定されるものではなく、例えば、不透液性フィルムと不織布シートを所定枚数積層したものを、使い捨て手袋形状に溶断することによって形成してもよい。また、不透液性フィルムと不織布シートを所定枚数積層したものを、使い捨て手袋形状に打ち抜き、手袋の開口部となる部分を除いてその周縁部を接着することによって形成してもよい。
【００４７】
また、以上の実施の形態においては、繊維シート材として親水性の不織布シートを例に挙げて説明したが、本発明はこれに限定されるものではなく、非親水性の不織布シートを使用してもよい。
【００４８】
また、その他、具体的な細部構造等についても適宜に変更可能であることは勿論である。
【図面の簡単な説明】
【００４９】
【図１】本発明に係る使い捨て手袋を示す平面図である。
【図２】図１のII−II線における断面図である。
【図３】図１のIII−III線における断面図である。
【図４】図１のIV−IV線における断面図である。
【図５】本発明の実施形態２における使い捨て手袋を示す断面図である。
【図６】本発明の実施形態３における使い捨て手袋を示す断面図である。
【図７】本発明の実施形態４における使い捨て手袋を示す断面図である。
【図８】本発明における使い捨て手袋の変形例を示す平面図である。
【図９】本発明における使い捨て手袋の変形例を示す平面図である。
【符号の説明】
【００５０】
１      不透液性フィルム
２      不織布シート（繊維シート材）
３      弾性部材（開口調節手段）
４      シール部
４ａ    仕切部
５      開口部
６      清掃用不織布シート（清掃用基材）
７      第１清掃用不織布シート（清掃用基材）
８      第２清掃用不織布シート（清掃用基材）
９      ベルト部（開口調節手段）
９ａ    止着部
１０、２０、３０、４０、５０、６０  使い捨て手袋
【図１】
2008081895.tif 000003
【図２】
2008081895.tif 000004
【図３】
2008081895.tif 000005
【図４】
2008081895.tif 000006
【図５】
2008081895.tif 000007
【図６】
2008081895.tif 000008
【図７】
2008081895.tif 000009
【図８】
2008081895.tif 000010
【図９】
2008081895.tif 000011